(57)【要約】  口腔のケアを充分に行うことのできる口腔ケア具を提供する。口腔ケア具１は、袋体１０、及び嵌装部材２０を備えている。袋体１０には、口腔用の薬剤が収容されている。袋体１０には、嵌装部材２０も収容されている。嵌装部材２０は、手指に嵌装される。嵌装部材２０の外面には、歯を磨くための歯磨き部が設けられている。
2018092311.tif 000002
【特許請求の範囲】
【請求項１】
口腔用の薬剤が収容された袋体と、
前記袋体に収容され、手指に嵌装される嵌装部材と、を備え、
前記嵌装部材の外面には、歯を磨くための歯磨き部が設けられていることを特徴とする口腔ケア具。
【請求項２】
請求項１に記載の口腔ケア具において、
前記嵌装部材は、使用時、先端部が閉塞又は開放されるとともに後端部が開放された筒状をしている口腔ケア具。
【請求項３】
請求項２に記載の口腔ケア具において、
前記嵌装部材の前記先端部は、閉塞されている口腔ケア具。
【請求項４】
請求項２又は３に記載の口腔ケア具において、
前記嵌装部材の前記後端部は、使用前、閉塞されている口腔ケア具。
【請求項５】
請求項４に記載の口腔ケア具において、
前記嵌装部材は、使用前、前記後端部において内面どうしが仮着されている口腔ケア具。
【請求項６】
請求項１乃至５の何れかに記載の口腔ケア具において、
前記嵌装部材は、伸縮性を有する口腔ケア具。
【請求項７】
請求項１乃至６の何れかに記載の口腔ケア具において、
前記歯磨き部の摩擦係数は、前記嵌装部材の内面の摩擦係数よりも大きい口腔ケア具。
【請求項８】
請求項１乃至７の何れかに記載の口腔ケア具において、
前記歯磨き部の表面粗さは、前記嵌装部材の内面の表面粗さよりも大きい口腔ケア具。
【請求項９】
請求項１乃至８の何れかに記載の口腔ケア具において、
前記歯磨き部は、前記嵌装部材の前記外面の一部にのみ設けられている口腔ケア具。
【請求項１０】
請求項９に記載の口腔ケア具において、
前記歯磨き部の摩擦係数は、前記嵌装部材の前記外面における当該歯磨き部以外の部分の摩擦係数よりも大きい口腔ケア具。
【請求項１１】
請求項９又は１０に記載の口腔ケア具において、
前記歯磨き部の表面粗さは、前記嵌装部材の前記外面における当該歯磨き部以外の部分の表面粗さよりも大きい口腔ケア具。
【請求項１２】
請求項１乃至１１の何れかに記載の口腔ケア具において、
前記歯磨き部は、吸水性を有する材料からなる口腔ケア具。
【請求項１３】
請求項１乃至１２の何れかに記載の口腔ケア具において、
前記歯磨き部は、不織布、コットン、レーヨン、ラテックス又は合成繊維からなる口腔ケア具。
【請求項１４】
請求項１乃至１３の何れかに記載の口腔ケア具において、
前記嵌装部材は、当該嵌装部材の内面を構成する内面層と、当該嵌装部材の前記外面を構成する外面層とを有する口腔ケア具。
【請求項１５】
請求項１４に記載の口腔ケア具において、
前記内面層は、防水性を有する材料からなる口腔ケア具。
【請求項１６】
請求項１５に記載の口腔ケア具において、
前記内面層は、プラスチックからなる口腔ケア具。
【請求項１７】
請求項１乃至１６の何れかに記載の口腔ケア具において、
前記嵌装部材は、前記袋体の内面に剥離可能に貼着されている口腔ケア具。
【請求項１８】
請求項１乃至１７の何れかに記載の口腔ケア具において、
前記袋体には、複数の前記嵌装部材が収容されている口腔ケア具。
【請求項１９】
請求項１８に記載の口腔ケア具において、
前記複数の嵌装部材のうち少なくとも２つは、相異なる長さを有する口腔ケア具。
【請求項２０】
請求項１８又は１９に記載の口腔ケア具において、
前記複数の嵌装部材のうち少なくとも２つは、相異なる径を有する口腔ケア具。
【請求項２１】
請求項１乃至２０の何れかに記載の口腔ケア具において、
前記袋体は、繰り返し開閉可能である口腔ケア具。
【請求項２２】
請求項２１に記載の口腔ケア具において、
前記袋体は、ジッパーを有する口腔ケア具。
【発明の詳細な説明】
【技術分野】
【０００１】
本発明は、口腔のケアに用いられる口腔ケア具に関する。
【背景技術】
【０００２】
従来の口腔ケア具としては、例えば特許文献１に記載されたものがある。同文献に記載された口腔ケア具は、洗口液が充填された袋体を備えている。袋体の上部には、洗口液を吸引するための口部が設けられている。
【先行技術文献】
【特許文献】
【０００３】
【特許文献１】特開２０１４−３０５１８号公報
【発明の概要】
【発明が解決しようとする課題】
【０００４】
上述の口腔ケア具によれば、袋体から吸引した洗口液で口内を洗浄することにより、口腔のケアをすることができる。しかしながら、歯磨きをするには、歯ブラシ等の歯磨き具を別に用意しなければならない。それゆえ、この口腔ケア具だけでは、口腔のケアを充分に行うことができない。【０００５】
本発明は、上記課題に鑑みてなされたものであり、口腔のケアを充分に行うことのできる口腔ケア具を提供することを目的とする。
【課題を解決するための手段】
【０００６】
本発明による口腔ケア具は、口腔用の薬剤が収容された袋体と、上記袋体に収容され、手指に嵌装される嵌装部材と、を備え、上記嵌装部材の外面には、歯を磨くための歯磨き部が設けられていることを特徴とする。【０００７】
この口腔ケア具においては、袋体に、口腔用の薬剤が収容されている。このため、袋体から取り出した薬剤で口内を洗浄することができる。さらに、袋体には、手指に嵌装される嵌装部材も収容されている。嵌装部材の外面には、歯磨き部が設けられている。このため、嵌装部材を手指に嵌めて歯磨き部で歯を擦ることにより、歯磨きを行うことができる。このように、本発明の口腔ケア具によれば、薬剤による口内の洗浄だけでなく、歯磨きをも行うことができる。
【発明の効果】
【０００８】
本発明によれば、口腔のケアを充分に行うことのできる口腔ケア具が実現される。
【図面の簡単な説明】
【０００９】
【図１】本発明による口腔ケア具の第１実施形態を示す正面図である。
【図２】図１の口腔ケア具における嵌装部材２０を示す斜視図である。
【図３】図２のIII−III線に沿った端面図である。
【図４】本発明による口腔ケア具の第２実施形態を示す正面図である。
【図５】図４の口腔ケア具における嵌装部材２０を示す斜視図である。
【図６】図５のVI−VI線に沿った端面図である。
【図７】嵌装部材２０の一変形例を説明するための図である。
【図８】嵌装部材２０の他の変形例を説明するための図である。
【図９】図８の嵌装部材２０が手指に嵌装された状態を示す斜視図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明による口腔ケア具の第１実施形態を示す正面図である。口腔ケア具１は、口腔のケアに用いられる口腔ケア具であって、袋体１０、及び嵌装部材２０を備えている。袋体１０は、正面視で矩形をしている。袋体１０の長さｄ１は、例えば、５〜１０ｃｍ程度である。また、袋体１０の幅ｄ２は、例えば、３〜６ｃｍ程度である。ここで、長さｄ１は、袋体１０を平坦にした状態（後述する薬剤及び嵌装部材２０が収容されていない状態）における上端から下端までの距離として定義される。幅ｄ２も、同様の状態における左端から右端までの距離として定義される。
【００１２】
袋体１０には、口腔用の薬剤（図示せず）が収容されている。本実施形態においては、液体状の薬剤（薬液）が収容されている。液体状の薬剤としては、例えば、マウスウォッシュ（洗口液）、液体歯磨き等が挙げられる。袋体１０は、薬剤が外に漏れないように密封されている。
【００１３】
袋体１０の上端の近傍には、開封予定部１２が存在している。開封予定部１２は、袋体１０を開封する位置の目安となる部分である。開封予定部１２は、袋体１０の左端から右端まで延在している。開封予定部１２の端部には、袋体１０の開封を容易にするための切り口１３が形成されている。切り口１３の延長線上に開封予定部１２が存在する。
【００１４】
袋体１０は、繰り返し開閉可能である。ここで、繰り返し開閉可能とは、テープやクリップ等の道具を使用することなく、袋体１０が開封された状態と密封された状態とを交互に何度も切り替えられることをいう。本実施形態において袋体１０は、ジッパー１４を有している。ジッパー１４は、開封予定部１２に沿って、開封予定部１２の下側に設けられている。切り口１３から袋体１０を開封した後も、ジッパー１４を閉じることにより、袋体１０を再び密封することができる。袋体１０の材料としては、例えば、プラスチック又はアルミニウムを用いることができる。
【００１５】
袋体１０には、嵌装部材２０も収容されている。本実施形態においては、複数の嵌装部材２０が袋体１０に収容されている。嵌装部材２０は、袋体１０の内面に剥離可能に貼着されていてもよい。ここで、剥離可能とは、袋体１０又は嵌装部材２０を損傷することなく、嵌装部材２０を袋体１０から手で容易に剥がせることをいう。
【００１６】
図２は、各嵌装部材２０を示す斜視図である。嵌装部材２０は、手指に嵌装される。嵌装部材２０は、使用時、先端部２０ａが閉塞されるとともに後端部２０ｂが開放された筒状をしている。先端部２０ａは、嵌装部材２０の頂点を含む一定面積の領域であり、嵌装部材２０が手指に嵌装されているときに当該手指の指先を覆う。後端部２０ｂは、手指の挿入口となる環状の部分である。
【００１７】
嵌装部材２０の長さｄ３は、例えば、３〜８ｃｍ程度である。また、嵌装部材２０の径ｄ４は、例えば、１〜２ｃｍ程度である。複数の嵌装部材２０の全てが同一の長さを有していてもよいし、複数の嵌装部材２０のうち少なくとも２つが相異なる長さを有していてもよい。また、複数の嵌装部材２０の全てが同一の径を有していてもよいし、複数の嵌装部材２０のうち少なくとも２つが相異なる径を有していてもよい。嵌装部材２０は、柔軟性を有しており、潰れた状態（嵌装部材２０の内面どうしが接触した状態）で袋体１０に収容されている。嵌装部材２０は、伸縮性も有していることが好ましい。
【００１８】
図３は、図２のIII−III線に沿った端面図である。嵌装部材２０は、内面層２２及び外面層２４からなる。内面層２２は、嵌装部材２０の内面を構成する層である。内面層２２は、嵌装部材２０の内面の全体にわたって設けられている。内面層２２は、防水性を有する材料からなり、薬剤を透過させたり吸収したりしない。内面層２２の材料としては、例えば、プラスチックを用いることができる。
【００１９】
外面層２４は、嵌装部材２０の外面を構成する層である。外面層２４は、嵌装部材２０の外面の全体にわたって設けられている。外面層２４は、吸水性を有する材料からなり、薬剤を吸収する。外面層２４は、後述するように、歯を磨くための歯磨き部として機能する。すなわち、本実施形態においては、嵌装部材２０の外面の全体に歯磨き部が設けられている。ただし、歯ブラシと異なり、嵌装部材２０にブラシは設けられていない。外面層２４の摩擦係数は、嵌装部材２０の内面（内面層２２）の摩擦係数よりも大きい。外面層２４の表面粗さ（Ｒａ）は、嵌装部材２０の内面の表面粗さよりも大きい。外面層２４には、凹凸が形成されていることが好ましい。また、外面層２４は、内面層２２よりも柔らかい材料からなることが好ましい。外面層２４の材料としては、例えば、不織布、コットン（ガーゼ）、レーヨン、ラテックス、又は合成繊維を用いることができる。合成繊維としては、例えば、ナイロン、ポリエステル、ポリウレタン等が挙げられる。
【００２０】
図１に戻って、口腔ケア具１の使用方法の一例を説明する。まず、切り口１３から袋体１０を開封する。このとき、概ね開封予定部１２に沿って袋体１０が切断されるようにする。その後、ジッパー１４を開けて、袋体１０から取り出した薬剤で口をゆすぐ。さらに、袋体１０から取り出した嵌装部材２０を手指（例えば人差し指）に被せる。このように手指に嵌装された嵌装部材２０の歯磨き部（外面層２４）で歯を擦ることにより、歯を磨くことができる。
【００２１】
口腔ケア具１の効果を説明する。口腔ケア具１においては、袋体１０に、口腔用の薬剤が収容されている。このため、袋体１０から取り出した薬剤で口内を洗浄することができる。さらに、袋体１０には、手指に嵌装される嵌装部材２０も収容されている。嵌装部材２０の外面には、歯磨き部が設けられている。このため、嵌装部材２０を手指に嵌めて歯磨き部で歯を擦ることにより、歯磨きを行うことができる。このように、口腔ケア具１によれば、薬剤による口内の洗浄だけでなく、歯磨きをも行うことができる。したがって、口腔のケアを充分に行うことのできる口腔ケア具１が実現されている。かかる口腔ケア具１は、人の歯に限らず、ペット等の動物の歯を磨くのにも好適に使用することができる。
【００２２】
このように口腔ケア具１によれば、歯ブラシ等の歯磨き具を別に用意しなくても、口内の洗浄から歯磨きまでの一連の口腔ケアを実行することができる。それゆえ、口腔ケア具１を携帯していれば、外出先でも充分な口腔ケアを行うことが可能である。例えば、旅行先は勿論、飛行機や列車の中でも口腔ケア具１を用いて口腔ケアを行うことができる。かかる口腔ケア具１は、避難所においても好適に用いることができるため、防災グッズとしても役立つ。
【００２３】
嵌装部材２０は、筒状をしている。かかる形状の嵌装部材２０は、手指にフィットさせやすいという利点がある。特に嵌装部材２０は、先端部２０ａが閉塞されている。これにより、指先が先端部２０ａで覆われることになる。このため、歯磨き部で歯を磨く際、当該指先が口内に触れるのを防ぐことができ、衛生的である。
【００２４】
嵌装部材２０が伸縮性を有する場合、手指に対して嵌装部材２０を一層フィットさせやすくなる。また、袋体１０内に嵌装部材２０をコンパクトに収容できるという利点もある。嵌装部材２０をコンパクトに収容できれば、袋体１０を過度に大きくしなくても、袋体１０に多数（例えば１０個程度）の嵌装部材２０を収容しやすくなる。
【００２５】
外面層２４の摩擦係数は、内面層２２の摩擦係数よりも大きい。このように歯磨き部である外面層２４の摩擦係数を大きくすることにより、歯磨き効果を高めることができる。ただし、外面層２４の摩擦係数を内面層２２のそれよりも大きくすることは、必須でない。
【００２６】
外面層２４の表面粗さは、内面層２２の表面粗さよりも大きい。このように歯磨き部である外面層２４の表面粗さを大きくすることによっても、歯磨き効果を高めることができる。ただし、外面層２４の表面粗さを内面層２２のそれよりも大きくすることは、必須でない。
【００２７】
外面層２４は、吸水性を有する材料からなっている。この場合、歯磨き部である外面層２４に薬剤が含浸した状態で歯を磨くことができるため、歯磨き効果を高めることができる。ただし、外面層２４に吸水性をもたせることは、必須でない。
【００２８】
嵌装部材２０は、内面層２２及び外面層２４を有している。このように嵌装部材２０の内面を構成する層と外面を構成する層とを別々に設けることにより、各層の機能に応じて最適な材料を選択しやすくなる。例えば、内面層２２には防水に適した材料を用いる一方で、外面層２４には歯磨きに適した材料を用いることができる。
【００２９】
内面層２２は、防水性を有する材料からなっている。この場合、嵌装部材２０の外面から内面に薬剤が浸透するのを確実に阻止することができる。これにより、歯磨き部で歯を磨く際、嵌装部材２０が嵌装された手指に薬剤が付着するのを防ぐことができる。
【００３０】
嵌装部材２０が袋体１０の内面に剥離可能に貼着されている場合、開封前の袋体１０内において嵌装部材２０を所定の位置に固定しておくことができる。これにより、嵌装部材２０が袋体１０の底部に片寄る等して、袋体１０から嵌装部材２０を取り出しにくくなる事態を防ぐことができる。
【００３１】
袋体１０には、複数の嵌装部材２０が収容されている。これにより、新しい嵌装部材２０を用いて複数回にわたって歯磨きを行うことができる。さらに、２つの嵌装部材２０を用いて２本の指で挟むようにして歯を磨くこともできるため、歯の表裏を磨きやすくなる。また、２本の指で同時に歯を磨くことができるため、歯磨きを効率良く行うことができる。
【００３２】
複数の嵌装部材２０のうち少なくとも２つが相異なる長さを有している場合、異なる長さを有する手指に対して嵌装部材２０をフィットさせやすくなる。すなわち、比較的小さい長さを有する嵌装部材２０を比較的短い指（例えば親指）に被せる一方で、比較的大きい長さを有する嵌装部材２０を比較的長い指（例えば中指）に被せることにより、それぞれの指に嵌装部材２０をフィットさせやすくなる。
【００３３】
複数の嵌装部材２０のうち少なくとも２つが相異なる径を有している場合、異なる太さを有する手指に対して嵌装部材２０をフィットさせやすくなる。すなわち、比較的小さい径を有する嵌装部材２０を比較的細い指（例えば中指）に被せる一方で、比較的大きい径を有する嵌装部材２０を比較的太い指（例えば親指）に被せることにより、それぞれの指に嵌装部材２０をフィットさせやすくなる。
【００３４】
袋体１０は、繰り返し開閉可能である。これにより、袋体１０から一部の嵌装部材２０を取り出した後も、残りの嵌装部材２０を袋体１０に密閉状態で保管しておくことが容易となる。袋体１０は、ジッパー１４を有している。これにより、簡易な構造で、繰り返し開閉可能な袋体１０を実現することができる。ただし、袋体１０が繰り返し開閉可能であることは、必須でない。
（第２実施形態）
【００３５】
図４は、本発明による口腔ケア具の第２実施形態を示す正面図である。口腔ケア具２は、口腔のケアに用いられる口腔ケア具であって、袋体１０、及び嵌装部材２０を備えている。袋体１０の構成は、第１実施形態で説明したとおりである。
【００３６】
図５は、各嵌装部材２０を示す斜視図である。また、図６は、図５のVI−VI線に沿った端面図である。嵌装部材２０は、内面層２２及び外面層２４からなる。本実施形態において外面層２４は、内面層２２の一部にのみ積層されている。このように、歯磨き部（外面層２４）は、嵌装部材２０の外面の一部にのみ設けられている。
【００３７】
外面層２４は、嵌装部材２０の後端部２０ｂよりも先端部２０ａ寄りに設けられている。すなわち、外面層２４から先端部２０ａまでの距離の方が、外面層２４から後端部２０ｂまでの距離よりも短い。外面層２４は、嵌装部材２０の先端部２０ａまで達する一方で、後端部２０ｂには達しないように設けられている。すなわち、外面層２４は、後端部２０ｂを避けるようにして、嵌装部材２０の外面の一部にのみ設けられている。
【００３８】
嵌装部材２０の外面における外面層２４以外の部分には、内面層２２が露出している。すなわち、内面層２２の一方の面は嵌装部材２０の内面を構成し、内面層２２の他方の面の一部（外面層２４が積層されていない部分）は、外面層２４と共に、嵌装部材２０の外面を構成している。外面層２４の摩擦係数は、嵌装部材２０の外面における外面層２４以外の部分（内面層２２が露出している部分）の摩擦係数よりも大きい。また、外面層２４の表面粗さは、嵌装部材２０の外面における上記部分の表面粗さよりも大きい。口腔ケア具２のその他の構成は、口腔ケア具１と同様である。
【００３９】
口腔ケア具２の効果を説明する。歯磨き部（外面層２４）は、嵌装部材２０の外面の一部にのみ設けられている。これにより、歯磨き部を触ることなく、嵌装部材２０を手指に嵌装しやすくなる。つまり、嵌装部材２０を一方の手の指に被せる際、嵌装部材２０の外面における外面層２４以外の部分を他方の手で持つことにより、当該他方の手が歯磨き部に触れてしまうのを回避することができる。このように歯磨き部に手が触れないことは、衛生上の観点から好ましい。
【００４０】
外面層２４は、嵌装部材２０の後端部２０ｂよりも先端部２０ａ寄りに設けられている。このため、外面層２４が後端部２０ｂ寄りに設けられている場合に比して、嵌装部材２０を口内に浅く入れた状態で歯を磨くことができる。嵌装部材２０の後端部２０ｂ付近は、嵌装部材２０を手指に嵌装する際に手が触れる部分である。それゆえ、衛生上の観点から、嵌装部材２０を口内に深く入れすぎないようにすることが好ましい。
【００４１】
外面層２４は、嵌装部材２０の先端部２０ａまで達するように設けられている。このため、嵌装部材２０の先端部２０ａ付近でも歯を磨くことができる。これにより、嵌装部材２０が口内に深く入りすぎるのを一層防ぎやすくなる。
【００４２】
外面層２４の摩擦係数は、嵌装部材２０の外面における外面層２４以外の部分の摩擦係数よりも大きい。このように歯磨き部である外面層２４の摩擦係数を大きくすることにより、歯磨き効果を高めることができる。
【００４３】
外面層２４の表面粗さは、嵌装部材２０の外面における外面層２４以外の部分の表面粗さよりも大きい。このように歯磨き部である外面層２４の表面粗さを大きくすることによっても、歯磨き効果を高めることができる。口腔ケア具２のその他の効果は、口腔ケア具１と同様である。
【００４４】
本発明は、上記実施形態に限定されるものではなく、様々な変形が可能である。上記実施形態においては、嵌装部材２０の後端部２０ｂが使用前から開放されている場合を例示した。しかし、嵌装部材２０は、図７に示すように、使用前は後端部２０ｂが閉塞されており、使用時に後端部２０ｂが開放されるように構成されていてもよい。同図においては、左側が使用前の嵌装部材２０を示し、右側が使用時の嵌装部材２０を示している。かかる構成の嵌装部材２０は、例えば、使用前に後端部２０ｂにおいて嵌装部材２０の内面どうしを仮着しておくことにより実現することができる。ここで、仮着とは、嵌装部材２０を損傷することなく手で容易に剥がせる程度の力で、嵌装部材２０の内面どうしを貼着することをいう。
【００４５】
このように後端部２０ｂが閉塞されている場合、袋体１０内において後端部２０ｂから嵌装部材２０の内部に薬剤が入り込むのを阻止することができる。これにより、嵌装部材２０が嵌装された手指に薬剤が付着するのを防ぐことができる。
【００４６】
上記実施形態においては、嵌装部材２０の先端部２０ａが閉塞されている場合を例示した。しかし、嵌装部材２０は、図８に示すように、先端部２０ａが開放された筒状をしていてもよい。この場合、図９に示すように、嵌装部材２０が嵌装された手指９０においては、指先が先端部２０ａから突出してもよい。
【００４７】
上記実施形態においては、嵌装部材２０が複数の層（内面層２２及び外面層２４）からなる場合を例示した。しかし、嵌装部材２０は、単一の層からなっていてもよい。その場合、例えば、嵌装部材２０の外面の全体又は一部に表面処理（例えば粗面化処理）を施すことにより、歯磨き部を形成してもよい。嵌装部材２０の材料としては、例えば、不織布、コットン、レーヨン、ラテックス又は合成繊維を用いることができる。また、伸縮ネットを用いて嵌装部材２０を構成してもよい。
【００４８】
上記実施形態においては、袋体１０に複数の嵌装部材２０が収容されている場合を例示した。しかし、袋体１０には、嵌装部材２０が１つだけ収容されていてもよい。
【００４９】
上記実施形態においては、口腔用の薬剤と嵌装部材２０とが別々に袋体１０に収容されている場合を例示した。すなわち、薬剤の少なくとも一部は、嵌装部材２０から離れた状態で袋体１０内に存在する場合を例示した。しかし、袋体１０に収容された薬剤の全てが、嵌装部材２０に含浸又は付着した状態で袋体１０内に存在していてもよい。
【００５０】
上記実施形態においては、口腔用の薬剤が液体状である場合を例示した。しかし、かかる薬剤は、ペースト状又は粉末状であってもよい。
【符号の説明】
【００５１】
１  口腔ケア具
２  口腔ケア具
１０  袋体
１２  開封予定部
１３  切り口
１４  ジッパー
２０  嵌装部材
２０ａ  先端部
２０ｂ  後端部
２２  内面層
２４  外面層（歯磨き部）
９０  手指
【図１】
2018092311.tif 000003
【図２】
2018092311.tif 000004
【図３】
2018092311.tif 000005
【図４】
2018092311.tif 000006
【図５】
2018092311.tif 000007
【図６】
2018092311.tif 000008
【図７】
2018092311.tif 000009
【図８】
2018092311.tif 000010
【図９】
2018092311.tif 000011
【手続補正書】
【提出日】平成29年6月21日(2017.6.21)
【手続補正１】
【補正対象書類名】特許請求の範囲
【補正対象項目名】請求項１
【補正方法】変更
【補正の内容】
【請求項１】
口腔用の薬剤が収容された袋体と、
前記袋体に収容され、手指に嵌装される嵌装部材と、を備え、
前記嵌装部材の外面には、歯を磨くための歯磨き部が設けられており、
前記薬剤と前記嵌装部材とは、前記袋体内の同一空間において別々に収容されていることを特徴とする口腔ケア具。
【手続補正２】
【補正対象書類名】特許請求の範囲
【補正対象項目名】請求項４
【補正方法】変更
【補正の内容】
【請求項４】
請求項３に記載の口腔ケア具において、
前記嵌装部材の前記後端部は、使用前、閉塞されている口腔ケア具。
【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
口腔用の薬剤が収容された袋体と、
前記袋体に収容され、手指に嵌装される嵌装部材と、を備え、
前記嵌装部材の外面には、歯を磨くための歯磨き部が設けられており、
前記嵌装部材は、使用時、先端部が閉塞されるとともに後端部が開放された筒状をしており、
前記嵌装部材の前記後端部は、使用前、閉塞されており、
前記薬剤と前記嵌装部材とは、前記袋体内の同一空間において別々に収容されていることを特徴とする口腔ケア具。
【請求項２】
請求項１に記載の口腔ケア具において、
前記嵌装部材は、使用前、前記後端部において内面どうしが仮着されている口腔ケア具。
【請求項３】
請求項１又は２に記載の口腔ケア具において、
前記嵌装部材は、伸縮性を有する口腔ケア具。
【請求項４】
請求項１乃至３の何れかに記載の口腔ケア具において、
前記歯磨き部の摩擦係数は、前記嵌装部材の内面の摩擦係数よりも大きい口腔ケア具。
【請求項５】
請求項１乃至４の何れかに記載の口腔ケア具において、
前記歯磨き部の表面粗さは、前記嵌装部材の内面の表面粗さよりも大きい口腔ケア具。
【請求項６】
請求項１乃至５の何れかに記載の口腔ケア具において、
前記歯磨き部は、前記嵌装部材の前記外面の一部にのみ設けられている口腔ケア具。
【請求項７】
請求項６に記載の口腔ケア具において、
前記歯磨き部の摩擦係数は、前記嵌装部材の前記外面における当該歯磨き部以外の部分の摩擦係数よりも大きい口腔ケア具。
【請求項８】
請求項６又は７に記載の口腔ケア具において、
前記歯磨き部の表面粗さは、前記嵌装部材の前記外面における当該歯磨き部以外の部分の表面粗さよりも大きい口腔ケア具。
【請求項９】
請求項１乃至８の何れかに記載の口腔ケア具において、
前記歯磨き部は、吸水性を有する材料からなる口腔ケア具。
【請求項１０】
請求項１乃至９の何れかに記載の口腔ケア具において、
前記歯磨き部は、不織布、コットン、レーヨン、ラテックス又は合成繊維からなる口腔ケア具。
【請求項１１】
請求項１乃至１０の何れかに記載の口腔ケア具において、
前記嵌装部材は、当該嵌装部材の内面を構成する内面層と、当該嵌装部材の前記外面を構成する外面層とを有する口腔ケア具。
【請求項１２】
請求項１１に記載の口腔ケア具において、
前記内面層は、防水性を有する材料からなる口腔ケア具。
【請求項１３】
請求項１２に記載の口腔ケア具において、
前記内面層は、プラスチックからなる口腔ケア具。
【請求項１４】
請求項１乃至１３の何れかに記載の口腔ケア具において、
前記嵌装部材は、前記袋体の内面に剥離可能に貼着されている口腔ケア具。
【請求項１５】
請求項１乃至１４の何れかに記載の口腔ケア具において、
前記袋体には、複数の前記嵌装部材が収容されている口腔ケア具。
【請求項１６】
請求項１５に記載の口腔ケア具において、
前記複数の嵌装部材のうち少なくとも２つは、相異なる長さを有する口腔ケア具。
【請求項１７】
請求項１５又は１６に記載の口腔ケア具において、
前記複数の嵌装部材のうち少なくとも２つは、相異なる径を有する口腔ケア具。
【請求項１８】
請求項１乃至１７の何れかに記載の口腔ケア具において、
前記袋体は、繰り返し開閉可能である口腔ケア具。
【請求項１９】
請求項１８に記載の口腔ケア具において、
前記袋体は、ジッパーを有する口腔ケア具。
【国際調査報告】
2018092311.tif 000012
2018092311.tif 000013
2018092311.tif 000014
2018092311.tif 000015